(57)【要約】【課題】角や壁などの隅にある塵等を粘着でき、広い範囲一度に塵等を吸着することができつつ、複数の平坦な面に粘着剤層を有することで、一つの面の粘着力が弱まっても、その面の粘着部材を剥離せず、他の粘着力のある面を利用することができるので、剥離する手間が省け、また、すべての面を利用して、粘着力が弱まった場合でも、粘着剤層を有する粘着部材が粘着剤層を外面として巻き付けられていることにより、従来のように一枚一枚剥離する手間が省け簡便に粘着部材を切り離すことができる清掃用具を提供する。【解決手段】清掃部１と清掃部１を支持する支持部２からなる清掃用具であって、前記清掃部１は複数の平坦な面を有する形状であって、粘着剤層３Ａを有する粘着部材３が粘着剤層３Ａを外面として巻き付けられている。【選択図】図１
2012217674.tif 000002
【特許請求の範囲】
【請求項１】
清掃部（１）と清掃部（１）を支持する支持部（２）からなる清掃用具であって、前記清掃部（１）は複数の平坦な面を有する形状であって、粘着剤層（３Ａ）を有する粘着部材（３）が粘着剤層（３Ａ）を外面として巻き付けられていることを特徴とする清掃用具。  
【請求項２】
清掃部（１）には粘着部材（３）と同じ高さ、または、粘着部材（３）より高くなるように滑り部材（４）が清掃部（１）に形成されている請求項１記載の清掃用具。
【請求項３】
粘着部材（３）は複数の平坦な面を有する形状の清掃部（１）の一辺に沿って、切り取れるようになっている請求項１または請求項２記載の清掃用具。
【請求項４】
清掃部（１）は直方体の箱状からなり、滑り部材（４）が設けられている面と設けられていない面があり、直方体の箱状の側面部に支持部（１）を軸支する差し込み穴（１Ｂ）が設けられている請求項１から３のいずれかに記載の清掃用具。
【請求項５】
清掃部（１）は芯部（５）と粘着部材（３）が巻き付けられた筒状部材（１０）からなり、芯部（５）を筒状部材（１０）に挿入して固定するようにした請求項１から４のいずれかに記載の清掃用具。
【請求項６】
請求項５記載の清掃用具に使用される粘着部材（３）が巻き付けられた筒状部材（１０）。
【発明の詳細な説明】
【技術分野】
【０００１】
この発明は、塵、糸くず、毛髪、砂などのごみを粘着シート（部材）を利用して除去できるようにした清掃用具に関するものである。
【背景技術】
【０００２】
塵、糸くず、毛髪、砂などのごみを粘着シートを利用して除去できるようにした清掃用具としては、特許文献１の図１のようなものがあるが、清掃部が円柱形状をしているため、角や、壁などの隅にある塵等を粘着できず、また、広い範囲の塵等を一度に粘着することができないという問題があった。
【０００３】
そして、特許文献２の図１の清掃用具では広い範囲の塵を一度に粘着できるものの、清掃部の平面が一面しかなく、粘着部材の粘着力が弱まる度に、清掃具と粘着部材を固定する固定具を外して粘着力の弱まった粘着シートを一枚ずつ剥離するか、固定具を付けたまま固定具の隙間から粘着力の弱まったシートを一枚ずつ剥離し、新たな粘着力のあるシートを利用する必要があり、粘着剤を剥離しづらく取り扱いが面倒であった。
【先行技術文献】
【特許文献】
【０００４】
【特許文献１】特許公開２０１０ー２８４３９５
【特許文献２】特願２０１０−２７６８１８の明細書及び図面
【発明の概要】
【発明が解決しようとする課題】
【０００５】
そこで、この発明は、角や壁などの隅にある塵等を粘着でき、広い範囲にわたって一度に塵等を吸着することができつつ、複数の平坦な面に粘着剤層を有することで、一つの面の粘着力が弱まっても、その面の粘着部材を剥離せず、他の粘着力のある面を利用することができるので、剥離する手間が省け、また、すべての面を使用して、粘着力が弱まった場合でも、粘着剤層を有する粘着部材が粘着剤層を外面として巻き付けられていることにより、従来のように一枚一枚剥離する手間が省け簡便に粘着部材を切り離すことができる清掃用具を提供することを課題とする。
【課題を解決するための手段】
【０００６】
前記課題を解決するため、この発明は次のような技術手段を講じている。
【０００７】
本願の清掃用具は、清掃部１と清掃部１を支持する支持部２からなる清掃用具であって、前記清掃部１は複数の平坦な面を有する形状であって、粘着剤層３Ａを有する粘着部材３が粘着剤層３Ａを外面として巻き付けられている。  
【０００８】
また、清掃部1には粘着部材３と同じ高さ、または、粘着部材３より高くなるように滑り部材４が清掃部１に形成されたものとすることができる。
【０００９】
本願の粘着部材３は複数の平坦な面を有する形状の清掃部１の一辺に沿って、切り取れるようにすることができる。
【００１０】
さらに、清掃部１は直方体の箱状からなり、滑り部材４が設けられている面と設けられていない面があり、直方体の箱状の側面部に支持部１を軸支する差し込み穴１Ｂが設けられたものとすることができる。
そして、清掃部１は芯部５と粘着部材３が巻き付けられた筒状部材１０からなり、芯部５を筒状部材１０に挿入して固定するようにしたものとすることができる。
【発明の効果】
【００１１】
この発明の清掃用具は、上述のような構成をしており、複数の平坦な面を有する形状であって、粘着剤層を有する粘着部材が粘着剤層を外面として巻き付けられていることから、角や壁などの隅にある塵等を粘着でき、広い範囲一度に塵等を吸着することができつつ、複数の面に粘着剤層を有することになることから、一つの面の粘着力が弱まっても、その面の粘着部材を剥離せず、他の粘着力のある面を利用することができるので、剥離する手間が省け便利に利用できる。
【図面の簡単な説明】
【００１２】
【図１】この発明の第１実施形態の清掃用具の斜視図である。
【図２】この発明の第１実施形態の使用済みの粘着部材３を清掃部１の一辺に沿って切り取っている様子を示す説明図である。
【図３】この発明の第１実施形態の断面図である。
【図４】この発明の第２実施形態の清掃用具の斜視図である。
【図５】この発明の第４実施形態の清掃用具の斜視図である。
【図６】この発明の第５実施形態の清掃用具の斜視図である。
【図７】この発明の第５実施形態の断面図である。
【図８】この発明の第５実施形態の芯部５０の斜視図である。
【図９】この発明の第６実施形態の芯部５１の斜視図である。
【図１０】この発明の第６実施形態の芯部５１の分解図である。
【図１１】この発明の第６実施形態の芯部５１が撓んだ状態の断面図である。
【図１２】この発明の第７実施形態の清掃用具の斜視図である。
【発明を実施するための形態】
【００１３】
以下、この発明の好適な実施形態を、図面を参照して説明する。
【００１４】
〔第１実施形態〕
図１から３に示したこの発明の第１実施形態の清掃用具は、清掃部１と清掃部１を支持する支持部２を有するものである。
【００１５】
この清掃用具は図１から３に示したように、四角形の板状の清掃部１に剥離処理した剥離処理面３Ｂと粘着剤層３Ａを塗布した粘着面を有するシート状の粘着部材３が、粘着剤層３Aを外側にして、何層にも巻き付けられている。
【００１６】
使用済みの粘着力の弱まった最も外側の粘着部材３は、清掃部の左右方向（幅方向）の一辺に沿って切り取れるようになっており、図２は切り取っている使用状態を示す図である。粘着部材の所定の位置にミシン目をいれ、切り取りやすくすることもできる。
【００１７】
四角の板状の清掃部１は表裏に平坦な面を有しており、床面、天井または壁の隅、角張った部分等の清掃対象部分に接触することで、広い範囲にわたって一度に粘着剤層３Ａの粘着力を利用して塵等を捕獲する。
【００１８】
四角の板状の清掃部１が表裏にあることで、片面を使用して粘着力が弱まった場合でも、粘着部材３を切り取ることなく、もう一方の面を利用して塵等を捕獲することが可能である。
【００１９】
清掃部１には図１から３に示すように、滑り部材４が設けられており、床面等を清掃する際に滑りやすくしている。滑り部材４は、フェルト等の不織布その他床面等を滑りやすい適宜の材料を使用することができる。
【００２０】
滑り部材４は、清掃部１に巻き付けられた粘着部材３の外周面と同じ高さ、または前記外周面より高くなるように清掃部１に設けられている。滑り部材４の高さが粘着部材３より高すぎると、粘着部材３が清掃面に接触せず、塵等の捕獲が困難となる。
【００２１】
また、使用した粘着部材３を切り取っていくと、粘着部材３と滑り部材4の高さの差が大きくなり、粘着部材３が床面等に接触しづらくなったときに、支持部２に力を加えることで、清掃部１が床面等に接触し、容易に塵等を捕獲することができるようにするためにも滑り部材４はフェルト等の弾力性を有する材料が好ましい。
【００２２】
滑り部材４は図１から３に示すように、清掃部１に巻き付けられた粘着部材３より外側の清掃部１に設けられている。
【００２３】
滑り部材４は清掃部１の片面、もしくは両面に設けることができる。滑り部材４を設けた面はフローリング等のような滑りやすい床面等の塵等を捕獲するのに有用である。滑り部材４を設けなかった面は絨毯のような滑りづらい素材の床面等の塵等を捕獲する際、清掃部を押し付ける等の態様で粘着部材３の粘着力を利用して捕獲することも可能である。
さらに、粘着剤層３Aの所定の位置に滑りテープ４Ａを設けて、粘着部材３が床面等を滑りやすくすることもできる。滑りテープ４Ａは紙等の切り取りやすい適宜の材料を使用することができる。
【００２４】
清掃部１は紙のほか、プラスチックその他の適宜の材料を使用することができる。また、図１から４に示すように、清掃部１に段ボールシートを使用することで、段ボールシートの内側の中芯にある波状部分１Ａが差し込み穴１Ｂを形成し、支持部２を差し込むことができるようになる。
【００２５】
支持部２は図１、２、３に示すように一端が清掃部１に差し込めるような差し込み部２Ａになっており、他端は持ち手部２Ｂとなっている。また、支持部２は差し込み部２Ａを中心に清掃部が回転できるようにっており、棒状の先端部分をコの字状に曲げたような形状をしている。清掃部１は回転することによって、清掃部１を容易に表裏反転できるようになっている。
【００２６】
〔第２実施形態〕   
図４に示す実施形態は基本的な構成は第１実施形態と同様であるが、以下の点で異なる。
粘着部材３の所定の位置に打ち抜き孔が形成され、その打ち抜き孔から露出した清掃部２に滑り部材４が形成されている。
【００２７】
〔第３実施形態〕
第３実施形態の基本的な構成は第１実施形態と同様であるが、本実施形態は第１実施形態と第２実施形態を組み合せた態様の仕様である。つまり、滑り部材４が清掃部１に巻き付けられた粘着部材３より外側の清掃部１に設けられ、かつ、粘着部材３の所定の位置に打ち抜き孔が形成され、その打ち抜き孔から露出した清掃部２にも形成されている（図示せず）。
【００２８】
〔第４実施形態〕
第４実施形態の基本的な構成は第１実施形態と同様であるが、以下の点で異なる。また、必要に応じて第２、３実施形態の滑り部材を設けたものとすることができる。
【００２９】
図５で示すように直方体の清掃部１に剥離処理した剥離処理面３Ｂと粘着剤層３Ａを塗布した粘着面を有するシート状の粘着部材３が、粘着剤層３Ａを外側にして、何層にも巻き付けられている。
【００３０】
直方体の清掃部１は平坦な清掃できうる４つの面を有しており、床面、天井、壁の隅または角張った部分等の清掃対象部分に接触することで、広い範囲一度に粘着剤層３Aの粘着力を利用して塵等を捕獲することができる。
【００３１】
さらに、直方体の清掃部１は８つの角を有しており、床面または壁等の角に隙間なく粘着部材３を接触させることができ、一度に広い範囲の塵等を捕獲することができる。また、直方体を少し扁平な形状にすることで、粘着部材３を有する幅狭面を有することとなる。その幅狭面を利用することにより、狭い隙間等、細かい部分の塵等を面と角を使って捕獲することができる。
【００３２】
また、直方体の清掃部１は４つの粘着剤層３Ａを有する面を有していることから、一つの面の粘着力が弱くなった場合でも、粘着部材３を切り取りことなく、残りの面の粘着剤層３Ａを利用して、塵等を捕獲することができる。
【００３３】
直方体の清掃部は紙箱を組み立てるような、折りたたみ構造をしており、組み立て前から支持部２の差し込み部２Ａが挿入される差し込み穴が設けられており、組み立てと同時に清掃部１が完成するようにもできる。また、組み立てた後に、差し込み穴を設けることもできる。
【００３４】
滑り部材４は床面と接触しうるすべての面に滑り部材を設けることもできる。また図５で示すように、滑り部４を設けない面をつくり、滑り部材４を設けなかった面の場合は絨毯のような滑りづらい素材の床面等の塵等を捕獲する際、清掃部１を押し付ける等の態様で粘着部材３の粘着力を利用して一度に広い範囲捕獲することも可能である。
【００３５】
支持部２は図５に示すとおり、清掃部１の左右の側面（清掃できない面）のいずれかに支持部２が差し込めるように差し込み穴１Ｂが設けられている。清掃部１の側面中央部に支持部２を差し込めるような差し込み穴１Ｂを設けると安定性を有する。
【００３６】
また、清掃部１は支持部２を軸に回転することができ、清掃部１の清掃できうる４面すべてを容易に利用できるようになっている。
【００３７】
〔第５実施形態〕
第５実施形態の基本的な構成は第１実施形態と同様であるが、以下の点で異なる。また、必要に応じて第２、３実施形態の滑り部材４を備えたものとすることができる。
【００３８】
図６、７に示すとおり、清掃部１は芯部５と粘着部材３が巻き付けられた筒状部材１０からなり、筒状部材１０に芯部５を挿入して固定するようになっている。また、芯部５が支持部２に対して回転できるように取付けられている。
【００３９】
筒状部材１０には、剥離処理した剥離処理面３Ｂと粘着剤層３Ａを塗布した粘着面を有するシート状の粘着部材３が、粘着剤層３Aを外側にして、何層にも巻き付けられている。筒状部材１０は紙、または布その他適宜の部材を使用することができる。
【００４０】
芯部５（本実施形態の芯部は第６実施形態の芯部と区別するために、以下芯部５０という）は第図７、８に示す通り、幅狭面の１つが開口した直方体状のもので、内部にスライド部５Ａを有しており、前記スライド部５Ａは、芯部５０内部に設けたばね等弾性材６に付勢され開口から突出するようになっている。
【００４１】
芯部５０のスライド部５Ａの下方の部分には幅方向に延びるスライド溝５Ｂが設けられており、スライド部５Ａの下側に設けたスライド突起５Ｃがスライド溝５Ｂ内を移動することで、前記スライド部５Ａの動きが規制されるようになっている（図７）。
【００４２】
筒状部材１０に芯部５０を挿入するときに、スライド部５Ａを指で押さえることにより、芯部５０の幅を狭くして挿入しやすい構造になっている。また、挿入後は芯部５０が弾性材６の付勢により広がり、筒状部材１０がしっかりと固定される。図７は筒状部材１０に芯部５０を挿入し固定されている様子を示す断面図である。
【００４３】
上記機能により、筒状部材１０に芯部５０を挿入した場合、筒状部材１０が芯部５０にぴったりとはまり、床等を滑らしながら塵等を捕獲する際、筒状部材１０が芯部５０からはずれず、回転するようなこともない。
【００４４】
また、筒状部材１０を交換することにより、支持部２及び芯部５０は何度も繰り返して利用することができる。
【００４５】
よって、筒状部材１０のみを販売することが可能となる。
【００４６】
芯部５０はプラスチックその他の適宜の材料でできている。滑り部材４を芯部５０に設けることもできるし、筒状部材１０に設けることもできる。
【００４７】
〔第６実施形態〕
第６実施形態の基本的な構成は第１実施形態と同様であるが以下の点で異なる。また、必要に応じて第２、３実施形態の滑り部材４を備えたものとすることができる。
【００４８】
第６実施形態は第５実施形態と同様に、清掃部１は芯部５と粘着部材３が巻き付けられた筒状部材１０からなり、筒状部材１０に芯部５を挿入して固定するようになっている。
しかし図９、１０、１１に示すとおり、第５実施形態とは芯部５の構造が異なっている（以下第５実施形態と区別するために本実施形態の芯部５は芯部５１という）。
【００４９】
芯部５１は板ばね５１Ａと２枚の上板５１Ｂと２枚の下板５１Ｃとからなる。
【００５０】
板ばね５１Ａは弾力性があり復元力のある板状のもので、長方形であることが好ましい。
２枚の上板５１Ｂは、長方形の弾力板５１Ａの短辺の略中央部から対辺の短辺の略中央部まで溝５１Ｄができるように板ばね５１Ａと合体している。
２枚の下板５１Ｃも同じように板ばね５１Ａと合体しているが、下板５１Ｃ側の溝には、支持部２の差し込み部２Ａが挿入できるようにストロー状部材５１Ｅが設けられている。ストロー状部材５１Ｅは上板５１Ｂ側に設けることもできる。
上板５１Ｂには留め具５１Ｆが複数備えられており、留め具５１Ｆの先端付近の周囲に突起５１Ｇがある。
【００５１】
上板５１Ｂは留め具５１Ｆがばね板５１Ａの貫通孔を貫通し、さらに、下板５１Ｃの貫通孔に備えられた突起５１Ｇが嵌りこむ穴５１Ｈに５１Ｇが嵌りこむことで、上板５１Ｂ、ばね板５１Ａ、下板５１Ｃの順番で合体する。下板に留め具５１Ｆが備えられていて、下板５１Ｃとばね板５１Ａと上板５１Ｂとを合体させてもよい。
【００５２】
また、下板５１Ｃに突起５１Ｇが嵌りこむ穴５１Ｈがなく、留め具５１Ｆが下板５１Ｃを貫通して、下板の筒状部材が接触する面に留め具５１Ｇ突起が引っ掛かることで上板５１Ｂ、弾力板５１Ａ、下板５１Ｃが合体することもできる。
【００５３】
上記のように芯部の短辺の略中央から対辺の短辺の略中央部にわたって溝５１Ｄがある構造にすることによって、芯部５１は溝の部分に沿ってばね板５１Ａの可撓性により撓むようになる。
よって、筒状部材１０にぴったりはまる大きさの芯部５１が、ばね板５１Ａの可撓性によって、撓むことによって、筒状部材１０に簡易に挿入でき、ばね板５１Ａの可撓性による復元力によって筒状部材１０にぴったりと嵌りこむことになる。
芯部５１は手で簡単に撓ますことができ、筒状部材１０に簡便に挿入しやすくなっている。よって、ばね板は手で簡単に撓ますことのできる、プラスチックや鉄等、適宜の材料でできている。
【００５４】
支持部２は下板５１Ｃに設けられたストロー状部材５１Ｅに差し込むことで、芯部５１と接続し、芯部５１が回転できるようになっている。差し込み部２Ａの先端にストッパー５１Ｊを設けることで、支持部２がストロー部材５１Ｅから抜けないようになっている。
【００５５】
本実施態様も、第５実施態様と同様に筒状部材１０を交換することにより、支持部２及び芯部５１は何度も繰り返して利用することができる。
【００５６】
よって、本願発明の清掃用具を購入した顧客に対して、筒状部材１０のみ販売することもできる。
【００５７】
〔第７実施形態〕
図１２に示す実施形態は基本的な構成は第１実施形態と同様であるが以下の点で異なる。また、必要に応じて第２、３実施形態の滑り部材４を備えたものとすることができる。
図１２に示すとおり、清掃部１に支持部２が固定されており（２Ｄ）、清掃部１が回転しない構造になっている。
【００５８】
平坦な面を有する清掃部１は、床面、天井、壁の隅または角張った部分等の清掃対象部分に接触することで、広い範囲一度に粘着部３の粘着力を利用して塵等を捕獲するのはもちろんであるが、清掃部１を持ち上げたときに清掃部１が回転しないので箪笥の上等の高い塵等を捕獲する際に便利である。  
【００５９】
また第１実施形態は清掃部１が回転するようになるために、支持部２が棒状の先端部分をコの字状に曲げた形状になっているので、天井、壁のような高い場所の塵等の捕獲する際、容易に平坦な面を天井等に接触させることができ便利であるが、箪笥等の上面に平坦な面を接触させようとすれば、支持部２のコの字部分が邪魔になって箪笥等の上面の奥まで平坦な面を接触させることが難しい場合がある。そのような場合に本実施形態であれば、容易に清掃部１の平坦な面を接触させることができる。
【００６０】
また、本実施形態の場合、置き場所のスペースを取ることもなく、かつ、簡便に利用できる。
【００６１】
以上がこの発明の好適な実施形態であるが、この発明は上述の実施形態の構成に限定されるものではなく、形状、寸法、材質等を適宜変更して実施することができる。
【符号の説明】
【００６２】
１    清掃部
１Ｂ  差し込み穴
２    支持部
３    粘着部材
３Ａ  粘着剤層
４    滑り部材
５    芯部
１０  筒状部材
【図１】
2012217674.tif 000003
【図２】
2012217674.tif 000004
【図３】
2012217674.tif 000005
【図４】
2012217674.tif 000006
【図５】
2012217674.tif 000007
【図６】
2012217674.tif 000008
【図７】
2012217674.tif 000009
【図８】
2012217674.tif 000010
【図９】
2012217674.tif 000011
【図１０】
2012217674.tif 000012
【図１１】
2012217674.tif 000013
【図１２】
2012217674.tif 000014